(57)【要約】【課題】氷ディスペンサのフロントパネルに凹設した氷取出し部の開口を防音カバーで覆って、氷供給部から容器へ供給される氷の落下音を低減させる技術が実用化されている。しかし、氷供給部から容器へ放出された氷の一部が該容器から飛び出して防音カバーの内側下面に停留してしまうことがある。このとき、留まった氷は次第に融けて水となり滴下して、氷ディスペンサの設置床面を濡らす不都合があった。【解決手段】防音カバー３２の内側に傾斜した氷案内部３６を設けることによって、該防音カバー３２により氷ディスペンサの氷取出し部を閉じた際に、容器から飛び出した氷塊が前記氷案内部３６を滑落し、その後に前記氷取出し部の載置面へ案内されるようにした。【選択図】図１
2019015446.tif 000002
【特許請求の範囲】
【請求項１】
フロントパネル(12)の内側に画成されて該フロントパネル(12)の前面に突出して開口し、上部に設けた氷供給部(22)から落下供給される氷を受ける容器(24)の載置面(26)が下部に設けられている氷取出し部(14)と、前記氷取出し部(14)の開口周縁に設けられて、前記フロントパネル(12)の前方に突出しているフレーム部(30)と、前記フロントパネル(12)に設けられて、前記フレーム部(30)を開閉自在に覆う防音カバー(32)とからなる氷ディスペンサにおいて、
前記防音カバー(32)の下方内側に設けられ、前記氷取出し部(14)の横幅寸法に近似した寸法だけ横方向に延在すると共に、該防音カバー(32)を閉じた際に前記載置面(26)に向け傾斜した姿勢をとる氷案内部(36)を有する
ことを特徴とする氷ディスペンサ。
【請求項２】
前記防音カバー(32)の内側には、前記氷案内部(36)の両側において縦方向に延在する２つの遮音部(38,38)が設けられている請求項１記載の氷ディスペンサ。
【請求項３】
前記２つの遮音部(38,38)は、前記防音カバー(32)を閉じた際に、前記フレーム部(30)に近接して位置するようになっている請求項２記載の氷ディスペンサ。
【発明の詳細な説明】
【技術分野】
【０００１】
この発明は、氷ディスペンサに関するものであり、更に詳しくは、氷ディスペンサの氷取出し口に防音用のカバーを開閉自在に設けた場合に、氷取出し口へ放出された氷の一部が容器に受容されず飛び出しても、この氷を確実に氷取出し口へ戻させるようにした防音カバーの構造に関するものである。
【背景技術】
【０００２】
ボタン操作やコイン投入操作により、アイスペールやコップ等の容器へ複数の氷を放出する所謂氷ディスペンサが広く使用されている。例えば、図６(ａ)に示す氷ディスペンサ１０は、フロントパネル１２の中央部に氷取出し部１４が凹設されており、図６(ｂ)に示すように、製氷部１６で製造されてストッカー１８に貯留された氷塊をスクリューコンベヤ２０により搬送して、氷供給部２２から落下供給するようになっている。すなわち、図７は前記氷取出し部１４の拡大縦断面図であって、氷ディスペンサ１０の前面に設けたフロントパネル１２には、該フロントパネル１２の内側に奥まった空間として画成され、パネル前面に突出して開口する氷取出し部１４が設けられている。この氷取出し部１４の内部上方には、前記スクリューコンベヤ２０で搬送された氷塊群を放出する氷供給部２２が配設され、また該氷取出し部１４の内部下方には、前記スクリューコンベヤ２０からの氷塊群を受容する容器２４が載置される載置面２６が設けられている。前記載置面２６の中央には、氷が溶けた水を回収して外部へ放出する排水管２８がスノコを介して接続されている。
【０００３】
また、図６(ａ)および図７から判明するように、前記フロントパネル１２における前記氷取出し部１４の開口周縁には、該フロントパネル１２の前方に突出する額縁状のフレーム部３０が設けられている。
【先行技術文献】
【特許文献】
【０００４】
【特許文献１】特許第４６１４５７５号公報
【発明の概要】
【発明が解決しようとする課題】
【０００５】
前述した氷ディスペンサ１０は、例えばホテルや病院の共用部分に設置され、利用者がコイン投入等の操作により簡単に氷を得ることができて便利である。ところで、前記氷ディスペンサ１０において、前記氷取出し部１４の載置面２６に載置したアイスペール等の容器２４へ氷供給部２２から氷塊を落下放出する際には、かなり大きい落下音がする。殊に、ホテルや病院等の閑静な空間では、周辺への配慮のため、前記氷落下音に対し何等かの防音乃至遮音対策が望まれる。
【０００６】
このため、前記氷ディスペンサ１０における氷取出し部１４を覆って、氷塊落下時の音が外部へ漏れるのを防ぐ防音カバー３２が実用化されている。例えば図８は、前記防音カバー３２を氷ディスペンサ１０のフロントパネル１２に開閉自在に設けたものである。すなわち、図８(ａ)に示すように、防音カバー３２は一方が全面的に開放した矩形箱体として構成され、前記氷取出し部１４の開口周縁に前方へ突出している前記フレーム部３０を、該防音カバー３２を閉成した際に外方から覆い得る寸法に設定されている。すなわち、前記防音カバー３２は、図８(ａ)に示す蝶番３４により前記フロントパネル１２の適所にヒンジ接続され、該防音カバー３２を図８(ｂ)に示すように閉成することで、前記氷取出し部１４のフレーム部３０を外方から完全に覆うようになっている。なお、図８には示さないが、防音カバー３２の適宜個所にマグネットを装着すると共に、該防音カバー３２を閉成した際に、該マグネットがフロントパネル１２と対向する位置に鉄等の磁気吸着板を設けておけば、防音カバー３２は安定した閉成状態を維持することができて好適である。
前記防音カバー３２の材質は、透明またはスモークのかかった半透明の合成樹脂になっていて、氷取出し部１４の載置面２６に置いた容器２４へ氷塊が放出される状態を、該防音カバー３２の外方から視認し得るようになっている。しかし、前記防音カバー３２の材質は合成樹脂でなくても、金属やガラスその他各種材質の組み合わせであっても良い。また、前記防音カバー３２は矩形の箱形である必要はなく、デザイン上の美観を優先させて立体的な丸形や楕円形の箱体としても良い。更に、前記防音カバー３２には、操作者が開閉する際の便宜のため、適所に把手を設けるようにしても良い。
【０００７】
ところで、前記防音カバー３２を氷ディスペンサ１０に設けた場合、前記氷供給部２２からアイスペール等の容器２４へ氷塊を落下放出させた際に、落下時の勢いにより氷塊の一部が該容器２４から飛び出すことがある。容器２４から飛び出した氷塊の多くは、前記載置面２６に落ち、該氷塊が融けた水は前記排水管２８から排出されるので問題はない。しかし、容器２４から飛び出しても前記載置面２６へは落下せず、閉成した状態の前記防音カバー３２のカバー底面に落ち、そこに滞留してしまう場合もあり得る。このときは、時間の経過により前記カバー底部に留まった氷が溶けて滴下し、氷ディスペンサ１０の設置床面を濡らしてしまう不都合があった。また、氷が融ける前に防音カバー３２が開放されると、該カバーの底部に留まった氷が利用者の足下へ落下する不都合もあった。
【０００８】
本発明は、防音カバーを備える氷ディスペンサに内在している前述した欠点に鑑み、これを解決するため提案されたものであって、防音カバーの内側に傾斜した氷案内部を設けることによって、該防音カバーにより氷ディスペンサの氷取出し部を閉じた際に、容器から飛び出した氷塊が前記氷案内部に衝突し、その後に前記載置面へ案内されるようにしたものである。
【課題を解決するための手段】
【０００９】
前記課題を解決し、所期の目的を達成するため請求項１に記載の発明は、
フロントパネルの内側に画成されて該フロントパネルの前面に突出して開口し、上部に設けた氷供給部から落下供給される氷を受ける容器の載置面が下部に設けられている氷取出し部と、前記氷取出し部の開口周縁に設けられて、前記フロントパネルの前方に突出しているフレーム部と、前記フロントパネルに設けられて、前記フレーム部を開閉自在に覆う防音カバーとからなる氷ディスペンサにおいて、
前記防音カバーの下方内側に設けられ、前記氷取出し部の横幅寸法に近似した寸法だけ横方向に延在すると共に、該防音カバーを閉じた際に前記載置面に向け傾斜した姿勢をとる氷案内部を有することを要旨とする。
請求項１に係る発明によれば、氷ディスペンサの防音カバーを閉じて氷取出し部を覆った際に、該防音カバーの裏面に設けた氷案内部は容器の載置面に向けて傾斜しているので、氷供給部から放出した氷が容器から飛び出して防音カバーの裏面に衝突しても、該氷案内部により確実に載置面へ案内される。また、前記防音カバーの肉厚は一般に薄いので、前記氷案内部を設けることによって、該防音カバーの剛性を全体的に向上させることができる。
【００１０】
請求項２に記載の発明では、前記防音カバーの内側には、前記氷案内部の両側において縦方向に延在する２つの遮音部が設けられていることを要旨とする。
請求項２に係る発明によれば、防音カバーは遮音部により補強されて剛性が向上すると共に、氷供給部から容器へ氷が放出される際の音を更に抑制することができる。
【００１１】
請求項３に記載の発明では、前記２つの遮音部は、前記防音カバーを閉じた際に、前記フレーム部に近接して位置するようになっていることを要旨とする。
請求項３に係る発明によれば、防音カバーを閉じた際に遮音部がフレーム部との間に近接して位置することで、音の伝達経路を長く(所謂ラビリンス構造)することができるから、氷放出時の音漏れを一層抑えることができる。
【発明の効果】
【００１２】
本発明によれば、防音カバーの内側に傾斜した氷案内部を設けることによって、該防音カバーにより氷ディスペンサの氷取出し部を閉じた際に、容器から飛び出した氷塊が前記氷案内部に衝突し、その後に前記載置面へ案内される。
【図面の簡単な説明】
【００１３】
【図１】本発明の好適な実施例における防音カバーの裏側を一部切欠いて示した斜視図であって、斜め下方へ傾斜した氷案内部が設けられている。
【図２】(ａ)は図１に示す防音カバーの変形例の裏面斜視図であって、氷案内部の両側に補強を兼ねる遮音部が縦に配置されている。(ｂ)は(ａ)のＸ−Ｘ線縦断面図である。
【図３】防音カバーで氷取出し部を閉成した状態の部分縦断面図であって、氷案内部が氷取出し部の容器載置面に向け傾斜している。
【図４】図２に示す防音カバーによって氷ディスペンサの氷取出し部を閉成している状態を示す斜視図である。
【図５】氷ディスペンサにおける氷取出し口の平断面図であって、防音カバーにより氷取出し部を閉成した際に、氷案内部に設けた遮音部がフレーム部に近接して位置している状態を示している。
【図６】(ａ)は氷ディスペンサの外観斜視図であり、(ｂ)は(ａ)に示す氷ディスペンサの一部縦断側面図である。
【図７】図６(ｂ)に示す氷取出し部の拡大縦断面図である。
【図８】(ａ)は氷ディスペンサに設けた従来の防音カバーを示すものであって、左側へ開放した状態を示し、(ｂ)は防音カバーを閉成した状態を示している。
【発明を実施するための形態】
【００１４】
次に、本発明に係る氷ディスペンサを、好適な実施例を挙げて、図面を参照しながら説明する。なお、氷ディスペンサの概略構造および該氷ディスペンサに開閉自在に設けられた防音カバーの基本構造については、図６〜図８に関して説明した通りであるから、その詳細な説明は省略する。また、本発明に係る氷ディスペンサは、一般的には、ボタン操作やコイン投入操作により角氷(キューブアイス)や砕氷(チップアイス)を氷取出し部に載置した容器へ供給する専用機である。しかし、これに限らず、氷を容器に供給してからジュースやコーラ等の飲料を供給する冷却飲料ディスペンサであってもよい。
【００１５】
図１は、本発明の実施例に使用される防音カバー３２を裏側から観察した斜視図であって、該防音カバー３２の下方内側には、横方向に延在する氷案内部３６が傾斜状態で固定されている。すなわち前記氷案内部３６は、図５に示す如く、氷ディスペンサ１０における氷取出し部１４の横幅寸法と略一致する近似寸法に設定した板状部材である。そして、殊に図３から判明するように、前記防音カバー３２を閉成して氷ディスペンサ１０の前記フレーム部３０を覆った際に、前記氷案内部３６は氷取出し部１４の前記載置面２６に向かう傾斜姿勢を取るようになっている。
【００１６】
前記載置面２６に対する前記氷案内部３６の高さは、例えば図３に示すように、該載置面２６に載置したアイスペール等の容器２４へ放出された氷塊が勢い余って飛び出して、矢印に示すように防音カバー３２の裏面に衝突した際は、該氷案内部３６の傾斜面に沿って滑べって前記載置面２６へ落下するような寸法が適宜選定される。また、前記防音カバー３２の材質を合成樹脂にした場合は、前記氷案内部３６を該防音カバー３２の裏側に一体的に成形しても良い。
【００１７】
このように、本発明の実施例に係る氷ディスペンサ１０によれば、図１に示したように、既存の防音カバー３２の裏面に傾斜を付した横長の氷案内部３６を設けたことにより、該防音カバー３２を閉成すると、図３の縦断面に示すような位置関係になる。従って、前記氷供給部２２から放出された氷塊の一部が、前記容器２４に収まらず飛び出て防音カバー３２の内面に衝突しても、氷塊は氷案内部３６を滑べって確実に載置面２６へ案内される。これにより、防音カバー３２の内側底面に氷塊が留まって融解した水が氷ディスペンサ１０の設置底面を濡らす不都合が好適に解消される。なお、前記氷案内部３６の裏面にグラスウールや発泡樹脂等を基材とする防音シートを貼り付ければ、氷が該氷案内部３６に落下した際の音をより低く抑えることができて好適である。
【００１８】
(変形例について)
図２は、図１に示した防音カバー３２の変形例を示すものであって、該防音カバー３２の内側には、前記氷案内部３６を挟んで両側に位置して、縦方向へ平行に延在する２つの遮音部３８，３８が設けられている。この遮音部３８は、殊に図２(ｂ)に示すように、前記防音カバー３２の裏面に接着剤等により縦方向に固着されており、その横幅寸法は前記氷案内部３６の左右端縁寸法よりも大きく設定してある。このように、２つの遮音部３８，３８を防音カバー３２の裏面に取り付けることで、該防音カバー３２の強度が向上すると共に、剛性向上によりカバー開閉時の振動も抑制される。なお、前記遮音部３８，３８も、前記防音カバー３２が合成樹脂製の場合は、該防音カバー３２の裏側に一体成形するようにしても良い。
【００１９】
前記２つの平行な遮音部３８，３８の間隔寸法は任意であるが、例えば図５の平面図に示すように、前記フレーム部３０の対向し合う内側同士の間隔寸法より少し小さ目に設定すると、前記防音カバー３２を閉じた際に、各遮音部３８は該フレーム部３０の内側へ侵入して両者間に若干の空隙を保持するに到る。すなわち、遮音部３８とフレーム部３０の内側とが空隙を保持して隣接するために、音の伝達経路が長くなって所謂ラビリンス構造になるので、氷供給部２２から氷塊を容器２４へ落下供給する際の音漏れを更に低減させることができる。
【００２０】
本明細書で使用した防音カバー３２および遮音部３８について、若干の説明を補足する。ここで「防音」というのは、容器への氷の落下音が外部へ漏れるのを完全に阻止し得るという程度を意味するものではなく、音漏れがかなりの程度まで抑制されることを意味する。同様に「遮音」というのは、容器への氷の落下音が外部へ漏れるのを完全に遮断するという程度を意味するものではない。すなわち、「防音」というも、「遮音」というも程度問題であって、本明細書では両者は殆んど同じ意味合いで使われている。
【００２１】
また、図５では、防音カバー３２を閉成して氷取出し部１４を外方から覆った場合に、該防音カバー３２の裏面に設けた２つの遮音部３８，３８が該氷取出し部１４におけるフレーム部３０の内方に近接して位置するようになっている。しかし、遮音部３８，３８がフレーム部３０の内方で近接することは必ずしも必要ではなく、該フレーム部３０の外方で僅かな空隙を保持して近接しているようになっていても良い。
【符号の説明】
【００２２】
１２  フロントパネル，１４  氷取出し部，２２  氷供給部，２４  容器
２６  載置面，３０  フレーム部，３２  防音カバー，３６  氷案内部，３８  遮音部
【図１】
2019015446.tif 000003
【図２】
2019015446.tif 000004
【図３】
2019015446.tif 000005
【図４】
2019015446.tif 000006
【図５】
2019015446.tif 000007
【図６】
2019015446.tif 000008
【図７】
2019015446.tif 000009
【図８】
2019015446.tif 000010